(57)【特許請求の範囲】
【請求項１】
多段式に複数のカバーを組み合わせて工作機械の摺動部の水平方向の摺動面を保護するための工作機械用のカバー装置において、複数のカバー（１１ａ〜１１ｄ）は、それぞれ、上部に天板（１２ａ、１２ｂ、１２ｃ、１２ｄ）を有し、側部に側板（１３ａ、１３ｂ、１３ｃ、１３ｄ）を有し、下部に案内板（１４ａ、１４ｂ、１４ｃ、１４ｄ）を有し、工作機械側に背面板（１７ａ、１７ｂ、１７ｃ、１７ｄ）を有し、各背面板（１７ａ〜１７ｄ）の下方エッジには１対のガイドピース（８ａ、８ｂ、８ｃ、８ｄ）が設けられており、これらのガイドピース（８ａ〜８ｄ）は摺動部（４）の摺動面（５）に接し、最外部のカバー（１１ｄ）を除いて、カバー（１１ａ〜１１ｃ）は、ガイドピース（８ａ〜８ｃ）を介して摺動部（４）の摺動面（５）上を摺動可能になっており、案内板（１４ａ〜１４ｄ）は、側板（１３ａ〜１３ｄ）の下端から摺動部（４）を支持する支持部（９）に向かって内側に延びており、支持部（９）の外側面には案内部（３）が設けられており、案内板（１４ａ〜１４ｄ）の内側端部が案内部（３）に導かれており、案内部（３）は、複数の溝（２１ａ、２１ｂ、２１ｃ）を有する溝ガイド（１８）により構成されており、案内板（１４ａ〜１４ｃ）の内側端部は、それらの溝（２１ａ〜２１ｃ）に導かれており、溝ガイド（１８）は摺動部（４）の外方側面に設けられており、案内板（１４ａ〜１４ｃ）がそれらの溝（２１ａ〜２１ｃ）で案内されることにより、カバー（１１ａ〜１１ｃ）の摺動方向への安定した摺動が可能となっており、溝ガイド（１８、１８”’）と複数のカバー（１１ａ〜１１ｄ）によって全体的に閉じられた空間に摺動部（４）が配置されていることを特徴とする工作機械用のカバー装置。
【請求項２】
多段式に複数のカバーを組み合わせて工作機械の摺動部の水平方向の摺動面を保護するための工作機械用のカバー装置において、複数のカバー（１１ａ〜１１ｄ）は、それぞれ、上部に天板（１２ａ、１２ｂ、１２ｃ、１２ｄ）を有し、側部に側板（１３ａ、１３ｂ、１３ｃ、１３ｄ）を有し、下部に案内板（１４ａ、１４ｂ、１４ｃ、１４ｄ）を有し、工作機械側に背面板（１７ａ、１７ｂ、１７ｃ、１７ｄ）を有し、各背面板（１７ａ〜１７ｄ）の下方エッジには１対のガイドピース（８ａ、８ｂ、８ｃ、８ｄ）が設けられており、これらのガイドピース（８ａ〜８ｄ）は摺動部（４）の摺動面（５）に接し、最外部のカバー（１１ｄ）を除いて、カバー（１１ａ〜１１ｃ）は、ガイドピース（８ａ〜８ｃ）を介して摺動部（４）の摺動面（５）上を摺動可能になっており、溝ガイド（１８”’）が側板（１３ａ”’〜１３ｄ”’）の直下に配置されており、溝ガイド（１８”’）の上面に複数の溝（２１ａ”’〜２１ｃ”’）が形成されていて、それらの溝（２１ａ”’〜２１ｃ”’）によって案内部（３”’）が構成されており、側板（１３ａ”’〜１３ｃ”’）の下端部は、複数の溝（２１ａ”’〜２１ｃ”’）により案内されており、溝ガイド（１８、１８”’）と複数のカバー（１１ａ〜１１ｄ）によって全体的に閉じられた空間に摺動部（４）が配置されていることを特徴とする工作機械用のカバー装置。
【発明の詳細な説明】
【０００１】
【発明の属する技術分野】
この発明は、工作機械の摺動面を保護するためのカバー装置に関するものである。
【０００２】
【従来の技術】
従来、図３に示すように、工作機械の摺動部（スライド部）４の保護には、多段式摺動カバーすなわちテレスコカバー３０が使用されている。テレスコカバー３０は、４つのカバー３１ａ、３１ｂ、３１ｃ、３１ｄに１対のガイドピース８ａ、８ｂ、８ｃ、８ｄをそれぞれ設け、それらのガイドピース８ａ〜８ｄが工作機械の摺動面５上を摺動する。
【０００３】
また、図４に示すように、天板３３ａ、３３ｂ、３３ｃ、３３ｄが山型のテレスコカバー３２も知られている。
【０００４】
【発明が解決しようとする課題】
従来の方法では、ガイドピース８ａ〜８ｄが工作機械の摺動面５上をスライドする構成のため、これらの間に隙間を生じがちであり、安定性が悪く、摺動時にカバー３１ａ〜３１ｄのガタつき等を生じていた。これにより、ガイドピース８ａ〜８ｄの摩耗や破損による事故が発生し、テレスコカバーの安定した可動が出来ない問題があった。
【０００５】
このような従来技術の問題点に鑑み、本発明は、高速（たとえば５０〜１００ｍ／分）においても複数のカバーを安定して案内出来る工作機械用のカバー装置を提供することを目的としている。
【０００６】
【課題を解決するための手段】
本願発明は、多段式に複数のカバーを組み合わせて工作機械の摺動面を保護するための工作機械用のカバー装置において、複数のカバーが摺動面をスライドするガイドピースにより支持されるとともに、カバーの下方エッジが溝の中を滑るように移動する構成にした工作機械用のカバー装置を要旨としている。
【０００７】
【発明の実施の形態】
本発明の工作機械用のカバー装置は、多段式に複数のカバーを組み合わせて工作機械の摺動面を保護するための工作機械用のカバー装置において、複数のカバーが摺動面をスライドするガイドピースにより支持されるとともに、カバーの下方エッジが溝の中を滑るように移動するものである。
【０００８】
【実施例】
以下、図面を参照して本発明の実施例を説明する。
【０００９】
図１において、本発明による工作機械用のカバー装置１は、水平方向に配置された摺動部４を有している。
【００１０】
摺動部４の上面は摺動面５となっている。摺動面５は、後述するテレスコカバー２により保護される構成になっている。
【００１１】
テレスコカバー２は、複数（本実施例では４枚）のカバー１１ａ、１１ｂ、１１ｃ、１１ｄで構成されている。各カバー１１ａ〜１１ｄは、所定方向に相対的に移動可能である。テレスコカバー２は最内部にカバー１１ａを設け、中間にカバー１１ｂ、１１ｃを設け、最外部にカバー１１ｄを設け、各カバー１１ａ〜１１ｄは順にその大きさを増すようになっている。最外部のカバー１１ｄの一端  は、固定されている。最内部のカバー１１ａの一端も固定されている。例えば、テーブル（図示せず）が工作機械（図示せず）から離間する方向に移動すると  き、テレスコカバー２はそれに応じて軸方向に展開して伸張する。
【００１２】
カバー１１ａ〜１１ｄはそれぞれ、上部に天板１２ａ、１２ｂ、１２ｃ、１２ｄを有し、側部に側板１３ａ、１３ｂ、１３ｃ、１３ｄを有し、下部に案内板１４ａ、１４ｂ、１４ｃ、１４ｄを有し、工作機械側に背面板１７ａ、１７ｂ、１７ｃ、１７ｄを有している。
【００１３】
カバー１１ａ〜１１ｄには、付着した切粉等を除去するためのワイパーや、カバー１１ａ〜１１ｄが互いに外れないようにするためのストッパ等が設けられているが、これらは従来と同様のものを使用できるので、説明を省略する。
【００１４】
各背面板１７ａ〜１７ｄの下方エッジには１対のガイドピース８ａ、８ｂ、８ｃ、８ｄが設けられている。ガイドピース８ａ〜８ｄは摺動部４に当接する。カバー１１ｄを除いて、カバー１１ａ〜１１ｃは、ガイドピース８ａ〜８ｃを介して摺動部４の摺動面５上を摺動可能になっている。
【００１５】
案内板１４ａ〜１４ｄは、側板１３ａ〜１３ｄの下端から摺動部４を支持する支持部９に向かって内側に延びている。支持部９の外側面には案内部３が設置されており、案内板１４ａ〜１４ｄの内側端部が案内部３に導かれる。
【００１６】
案内部３は、３つの溝２１ａ、２１ｂ、２１ｃを有する溝ガイド１８により構成されている。案内板１４ａ〜１４ｃの内側端部は、溝２１ａ〜２１ｃに導かれる。案内板１４ａ〜１４ｃが溝２１ａ〜２１ｃに案内されることにより、カバー１１ａ〜１１ｃの摺動方向への安定した摺動が可能となる。
【００１７】
次に、本発明の別の実施例を説明する。
【００１８】
図２に示すように、溝ガイド１８”’を側板１３ａ”’〜１３ｄ”’の直下に配置しても良い。溝ガイド１８”’の上面には溝２１ａ”’〜２１ｃ”’が形成され、案内部３”’として構成されている。側板１３ａ”’〜１３ｃ”’の下端部は、溝２１ａ”’〜２１ｃ”’により案内される。この場合、カバー１１    ａ”’〜１１ｃ”’の特に水平方向の揺動を抑制することができる。
【００１９】
なお、本発明は前述の実施例に限定されない。本発明においては、案内板又は側板の端部と溝との間の案内方法は任意である。案内板又は側板の端部と溝は、例えば、レールとスライダで構成しても良いし、ローラとガイドで構成しても良い。
【００２０】
また、カバーの数は４つでなくてもよい。テレスコカバー２の構成は、カバー１１ａを最外部とし、カバー１１ｄを最内部としても良い。また、溝ガイドと溝の摺動方向の長さは任意に設定できる。例えば、摺動方向に短い長さの溝ガイド又は溝を使用して、案内板又は側板の端部の一部とかみ合う構成にしてもよい。また、溝の形状は矩形のみでなく、丸みのあるものでもよい。天板が山型の摺動カバーも、本発明は含むものである。
【００２１】
【発明の効果】
本発明によれば、カバーがガイドピースのみでなく、溝でも案内されるため、カバーを確実に案内することができ、高速送り（たとえば５０〜１００ｍ／分）においても故障などの発生を防ぐことができ、安定した案内を行うことができ  る。とくに浮上り防止効果が顕著である。密閉性を高めることが容易であり、切粉やゴミの侵入を防止しやすい。
【図面の簡単な説明】
【図１】本発明による工作機械用のカバー装置の一例を示す概略断面図。
【図２】本発明の別の実施例を示す概略断面図。
【図３】従来の工作機械用のカバー装置を示す概略断面図。
【図４】従来の工作機械用のカバー装置を示す概略断面図。
【符号の説明】
１、１”’  カバー装置
２、２”’  多段式摺動カバー（テレスコカバー）
３、３”’  案内部
４  摺動部
５  摺動面
８ａ、８ｂ、８ｃ、８ｄ  ガイドピース
９  支持部
１１ａ、１１ｂ、１１ｃ、１１ｄ、１１ａ”’、１１ｂ”’、１１ｃ”’、１１ｄ”’  カバー
１２ａ、１２ｂ、１２ｃ、１２ｄ  天板
１３ａ、１３ｂ、１３ｃ、１３ｄ、１３ａ”’、１３ｂ”’、１３ｃ”’、１３ｄ”’  側板
１４ａ、１４ｂ、１４ｃ、１４ｄ  案内板
１７ａ、１７ｂ、１７ｃ、１７ｄ  背面板
１８、１８”’  溝ガイド
２１ａ、２１ｂ、２１ｃ、２１ａ”’、２１ｂ”’、２１ｃ”’  溝
【図１】
0003972973.tif 000002
【図２】
0003972973.tif 000003
【図３】
0003972973.tif 000004
【図４】
0003972973.tif 000005